(57)【要約】【課題】発光のムラを低減することができる発光指針を提供する。【解決手段】発光指針１００は、表側に向かって開口する開口部３１ａが形成され、遮光性を有する蓋部３０と、指針本体４０と、光源３からの光を受ける受光板２０と、を備える。指針本体４０は、蓋部３０に表側から覆われる被覆部４１と、開口部３１ａから露出する露出部４２と、指針部４３とを有する。被覆部４１は、受光板２０を透過した光を指針部４３の内部へと反射させる反射部を有する。受光板２０は、軸線ＡＸが延びる方向において反射部と対向し、光を反射部へと透過させる第１透過部と、軸線ＡＸが延びる方向において露出部４２と対向し、光を露出部４２へと透過させる第２透過部と、を有する。第２透過部は、第１透過部よりも透過する光の量を減少させる。【選択図】図２
2019124626.tif 000002
【特許請求の範囲】
【請求項１】
軸線を中心に回転可能な発光指針であって、
表側に向かって開口する開口部が形成され、遮光性を有する蓋部と、
前記蓋部に表側から覆われる被覆部と、前記開口部から露出する露出部と、前記被覆部から前記軸線を中心とした外周方向に突出する指針部とを有し、導光材からなる指針本体と、
前記指針本体の裏側に位置し、光源からの光を受ける受光板と、を備え、
前記指針本体の前記被覆部は、前記受光板を透過した前記光を前記指針部の内部へと反射させる反射部を有し、
前記受光板は、
前記軸線が延びる方向において前記反射部と対向し、前記光を前記反射部へと透過させる第１透過部と、
前記軸線が延びる方向において前記露出部と対向し、前記光を前記露出部へと透過させる第２透過部と、を有し、
前記第２透過部は、前記第１透過部よりも透過する前記光の量を減少させる、
発光指針。
【請求項２】
前記開口部、前記露出部、及び前記第２透過部は、前記軸線上に位置する、
請求項１に記載の発光指針。
【請求項３】
前記指針本体の前記被覆部は、裏側に向かって突起する突起部を有し、
前記受光板は、前記突起部が挿入される孔と、遮光部とを有し、
前記遮光部は、前記孔を取り囲む部分と、前記受光板の外周端部との少なくともいずれかに設けられている、
請求項１又は２に記載の発光指針。
【請求項４】
前記第１透過部及び前記第２透過部には、前記光を拡散させる拡散処理が施されている、
請求項１乃至３のいずれか１項に記載の発光指針。
【請求項５】
前記軸線を中心に回転する回転軸に装着される指針座部を備え、
前記受光板は、前記指針座部と前記指針本体との間に位置し、
前記指針座部は、前記光を前記受光板へと透過させる透光部を有する、
請求項１乃至４のいずれか１項に記載の発光指針。
【発明の詳細な説明】
【技術分野】
【０００１】
本発明は、発光指針に関する。
【背景技術】
【０００２】
従来の発光指針として、例えば特許文献１には、光源からの光を受けて発光する指針本体と、指針本体を表側から覆う遮光性のカバーを備える発光指針が開示されている。この発光指針は、カバーに設けられたスリット状の開口部から指針本体の一部が露出する構造のものである。
【先行技術文献】
【特許文献】
【０００３】
【特許文献１】特開２００２−２５０６４２号公報
【発明の概要】
【発明が解決しようとする課題】
【０００４】
特許文献１に開示されているように、カバーの開口部から指針本体の一部（以下、露出部と言う。）が露出する構造では、露出部が指針本体における他の部分（例えば、カバーの外周方向に突出する部分）よりも明るく発光し、発光のムラが生じてしまう場合がある。
【０００５】
本発明は、上記実情に鑑みてなされたものであり、発光のムラを低減することができる発光指針を提供することを目的とする。
【課題を解決するための手段】
【０００６】
上記目的を達成するため、本発明に係る発光指針は、
軸線を中心に回転可能な発光指針であって、
表側に向かって開口する開口部が形成され、遮光性を有する蓋部と、
前記蓋部に表側から覆われる被覆部と、前記開口部から露出する露出部と、前記被覆部から前記軸線を中心とした外周方向に突出する指針部とを有し、導光材からなる指針本体と、
前記指針本体の裏側に位置し、光源からの光を受ける受光板と、を備え、
前記指針本体の前記被覆部は、前記受光板を透過した前記光を前記指針部の内部へと反射させる反射部を有し、
前記受光板は、
前記軸線が延びる方向において前記反射部と対向し、前記光を前記反射部へと透過させる第１透過部と、
前記軸線が延びる方向において前記露出部と対向し、前記光を前記露出部へと透過させる第２透過部と、を有し、
前記第２透過部は、前記第１透過部よりも透過する前記光の量を減少させる。
【発明の効果】
【０００７】
本発明によれば、発光のムラを低減することができる。
【図面の簡単な説明】
【０００８】
【図１】本発明の一実施形態に係る指針式計器の要部斜視図である。
【図２】図１に示す指針式計器の分解図である。
【図３】受光板の平面図である。
【図４】（ａ）及び（ｂ）は、指針本体の要部平面図である。
【図５】指針式計器の要部側面図である。
【発明を実施するための形態】
【０００９】
本発明の一実施形態に係る発光指針について図面を参照して説明する。
【００１０】
本発明の一実施形態に係る発光指針は、図１に示す指針式計器１に含まれる。指針式計器１は、例えば、自動四輪車などの車両に搭載され、ユーザ（主に運転者）に車速を報知するためのスピードメータとして構成されている。
【００１１】
以下では、構成の理解を容易にするために、図１に示すように、ユーザが指針式計器１を正視するときの手前側を「表」とし、奥側を「裏」として各部を説明する。
【００１２】
指針式計器１は、図１及び図２に示す、モータ２、光源３、導光体４、及び発光指針１００と、図示しない計器板と、を備える。
【００１３】
モータ２は、発光指針１００を軸線ＡＸ周りに回転させるものであり、例えば、ステッピングモータから構成されている。モータ２は、回路基板Ｂの裏側に実装されている。モータ２の回転軸２ａは、回路基板Ｂの基材を貫通して回路基板Ｂの表側へと突出している。回転軸２ａの先端部に発光指針１００が取り付けられることで、モータ２の動作に伴って、発光指針１００が軸線ＡＸ周りに回転する。
【００１４】
回路基板Ｂは、各種回路が形成されたプリント回路板から構成されている。回路基板Ｂに直接実装される、又は、回路基板Ｂと電気的に接続される制御部（図示せず）によって、指針式計器１の全体動作が制御される。回路基板Ｂと電気的に接続された制御部は、車両に搭載された車速センサや、車両の各部を制御するＥＣＵ（Electronic Control Unit）から取得した車速情報に応じて、モータ２を介して発光指針１００を回転させる。
【００１５】
光源３は、発光指針１００を発光させるためのものであり、例えば、ＬＥＤ（Light Emitting Diode）から構成されている。光源３は、回路基板Ｂの表側に実装され、制御部によって点灯が制御される。光源３は、表側に向かって光を発する。光源３は、図１に示すように、回転軸２ａの周りに位置し、この実施形態では３つ設けられている。なお、光源３の数は任意であり、１つであってもよいし、複数設けられていてもよい。
【００１６】
導光体４は、光源３が発した光を発光指針１００に導くためのものであり、例えば、回路基板Ｂの基材に公知の手法で固定されている。導光体４は、例えば、アクリル、ポリカーボネートなどの透明樹脂からなり、円環部４ａと、脚部４ｂと、を有する。
【００１７】
円環部４ａは、その中心部に設けられた穴の内部に、回転軸２ａが位置するように設けられる。図１及び図５に点線で示すように、回転軸２ａの先端は、円環部４ａよりも表側に位置する。脚部４ｂは、円環部４ａの側部から光源３に向かって垂れ下がるように設けられ、その裏側の端部が光源３と対向する。脚部４ｂは、図１に示すように、３つの光源３の各々に対応して、３つ設けられている。なお、脚部４ｂの数は、光源３の数に合わせて設ければよく、光源３の数に応じて任意である。
【００１８】
光源３が発した光は、脚部４ｂから導光体４に入射し、円環部４ａの表側の面から発光指針１００に向かって出射される。
【００１９】
発光指針１００は、図２に示すように、指針座部１０と、受光板２０と、蓋部３０と、指針本体４０と、を備える。
【００２０】
指針座部１０は、透光部１１と、遮光外周部１２と、を有する。透光部１１は、透明樹脂からなり、軸受部１１ａと、円盤部１１ｂと、を有する。軸受部１１ａは、円柱状をなし、回転軸２ａに固定される。例えば、軸受部１１ａは、その裏側の端部に設けられた穴に回転軸２ａが圧入されることにより、回転軸２ａに固定される。円盤部１１ｂは、軸受部１１ａの表側に位置するとともに軸受部１１ａと一体に形成されている。円盤部１１ｂは、軸受部１１ａよりも拡径して形成されている。遮光外周部１２は、遮光性を有する樹脂から、例えば黒色に形成され、円盤部１１ｂの側面を取り囲んで形成されている。透光部１１と遮光外周部１２とは、例えば、二色成形により一体に形成されている。
【００２１】
なお、図示しない計器板は、指針座部１０の円盤部１１ｂと、導光体４の円環部４ａとの間に設けられる。計器板は、指針座部１０の軸受部１１ａを通す開口部を有している。この開口部によって、回転軸２ａに取り付けられた発光指針１００は、計器板の表側において回転可能となっている。計器板は、発光指針１００（具体的には、後述の指針部４３の先端）に指示される指標部を有する。指標部は、発光指針１００の回転範囲に渡って設けられた目盛、数値などからなる。指針式計器１は、発光指針１００の指示箇所と、指標部との対比により車速をユーザに把握させる。
【００２２】
光源３から発せられ、導光体４の円環部４ａから表側に出射された光は、指針座部１０の透光部１１に裏側から入射する。透光部１１に入射した光は、円盤部１１ｂの表側の面から受光板２０に向かって出射される。なお、円盤部１１ｂの側面に遮光外周部１２が設けられていることにより、円盤部１１ｂの側面からの漏光が防止される。
【００２３】
受光板２０は、軸線ＡＸが延びる方向において、指針座部１０の円盤部１１ｂと対向し、光源３から発せられた後に円盤部１１ｂの表側の面から出射された光を受ける。受光板２０は、例えば、アクリル、ポリカーボネートなどからなる透明基材に印刷層を設けた構成である。図２及び図５に示すように、受光板２０の基材は、指針座部１０の円盤部１１ｂよりも、やや大径の円盤状に形成されている。
【００２４】
受光板２０は、図３に示すように、第１透過部２１と、第２透過部２２と、遮光部２３と、孔２４と、を有する。
【００２５】
第１透過部２１は、受光板２０において透明基材が剥き出しの部分、又は、透明基材の表側又は裏側の少なくとも一方に所定色（透明色やスモーク）の印刷層が形成された部分である。
【００２６】
第２透過部２２は、透明基材の表側又は裏側の少なくとも一方に所定色（透光白色やスモーク）の印刷層が形成された部分である。
【００２７】
第２透過部２２は、第１透過部２１よりも透過する光の量を減少させるように形成される。具体的には、第２透過部２２は、（ｉ）第１透過部２１よりも光の透過率が低いという第１条件と、（ｉｉ）第１透過部２１よりも透過させた後の光の明度を低くするという第２条件と、の少なくともいずれかを満たして形成されている。
【００２８】
第１条件は、例えば、第１透過部２１が受光板２０における透明基材の剥き出しの部分や、透明基材に透明印刷を形成した部分で構成される一方、第２透過部２２が透明基材に白色やスモーク印刷を形成した部分で構成されることで実現される。その他、第１条件は、第１透過部２１が透明基材にスモーク印刷を形成した部分で、第２透過部２２が透明基材に第１透過部２１のスモーク印刷よりも色の濃いスモーク印刷を形成した部分で構成されることで実現されてもよい。
第２条件は、例えば、第１透過部２１と第２透過部２２との透過率が同じであったとしても、第１透過部２１が透明基材に白色印刷を形成した部分で構成され、第２透過部２２が透明基材にスモーク印刷を形成した部分で構成され、第２透過部２２を透過した光の明度が第１透過部２１を透過した光の明度よりも低くなることで実現される。
また、第２透過部２２は、第１透過部２１よりも透過率が低く、且つ、透過させた後の光の明度を低くするように構成され、第１条件と第２条件とを共に満たしていてもよい。第２透過部２２は、第１条件と第２条件との少なくともいずれかを満たして形成されていれば、その態様や手法は任意である。
【００２９】
遮光部２３は、受光板２０において透明基材の表側又は裏側の少なくとも一方に遮光性（例えば黒色）の印刷層を形成した部分で構成される。なお、第１透過部２１、第２透過部２２、及び遮光部２３の配置については、後述する。
【００３０】
受光板２０において、少なくとも第１透過部２１及び第２透過部２２が位置する部分は、拡散処理が施されている。当該拡散処理は、例えば、透明基材の表側又は裏側の少なくとも一方に、光拡散印刷層を形成することで施される。なお、当該光拡散印刷層は、前記の所定色の印刷層に含まれていてもよいし、別体であってもよい。別体にする場合は、例えば、透明基材の表側と裏側の一方に所定色の印刷層を形成し、他方に光拡散印刷層を形成すればよい。また、拡散処理は、印刷層によるものに限られず、受光板２０の透明基材に直接、拡散加工（例えばサンドブラスト加工）を施してもよい。
【００３１】
孔２４は、受光板２０の透明基材に形成されており、後述の突起部４１ｅに対応して設けられている。
【００３２】
蓋部３０は、外形が円錐台状をなし、裏側に向かって開口する蓋状に形成されている。蓋部３０は、指針本体４０を挟んで受光板２０の表側に位置する。蓋部３０は、例えば、指針座部１０に対して公知の手法で固定されている。蓋部３０は、遮光性を有する。蓋部３０は、例えば、遮光性を有する樹脂材によって形成されている。なお、蓋部３０は、透明の樹脂材に遮光性印刷を施すことにより遮光性を有していてもよい。
【００３３】
蓋部３０のうち表側に向く面を有する天面部３１には、表側に向かって開口する開口部３１ａが形成されている。開口部３１ａは、図２に示すように、指針部４３が延びる方向（線ＥＸ方向）に沿ってスリット状に形成されている。
【００３４】
指針本体４０は、導光材からなり、蓋部３０に表側から覆われる被覆部４１と、蓋部３０の開口部３１ａから露出する露出部４２と、指針部４３と、を有する。指針本体４０を構成する導光材は、光を内部に導けるものであれば任意であり、例えば、アクリル、ポリカーボネートなどの透明樹脂により形成されている。
【００３５】
被覆部４１は、第１反射部４１ａと、第２反射部４１ｂと、第３反射部４１ｃと、第４反射部４１ｄと、突起部４１ｅと、を有する。
【００３６】
第１反射部４１ａ及び第２反射部４１ｂは、光源３から発せられ、受光板２０を透過した光を指針部４３の先端側（図４における左側）へと反射させる。第１反射部４１ａ及び第２反射部４１ｂは、図４（ａ）、（ｂ）に示すように、平面視において、線ＥＸを挟んで互いに対向して配置されている。
【００３７】
第１反射部４１ａは、裏側に向く受光面と、受光面の表側に位置する反射面Ｒａ（図４（ａ）参照）を有する。第１反射部４１ａは、受光面から取り込んだ光を、反射面Ｒａで反射させることで指針部４３の先端側へと導く。
第２反射部４１ｂは、裏側に向く受光面と、受光面の表側に位置する反射面Ｒｂ（図４（ａ）参照）を有する。第２反射部４１ｂは、受光面から取り込んだ光を、反射面Ｒｂで反射させることで指針部４３の先端側へと導く。
【００３８】
第３反射部４１ｃ及び第４反射部４１ｄは、光源３から発せられ、受光板２０を透過した光を指針部４３の後端側（図４における右側）へと反射させる。第３反射部４１ｃ及び第４反射部４１ｄは、図４（ａ）、（ｂ）に示すように、平面視において、線ＥＸを挟んで互いに対向して配置されている。また、第３反射部４１ｃ及び第４反射部４１ｄは、第１反射部４１ａ及び第２反射部４１ｂよりも、指針部４３の先端側に位置している。
【００３９】
第３反射部４１ｃは、裏側に向く受光面と、受光面の表側に位置する反射面Ｒｃ（図４（ｂ）参照）を有する。第３反射部４１ｃは、受光面から取り込んだ光を、反射面Ｒｃで反射させることで指針部４３の後端側へと導く。
第４反射部４１ｄは、裏側に向く受光面と、受光面の表側に位置する反射面Ｒｄ（図４（ｂ）参照）を有する。第４反射部４１ｄは、受光面から取り込んだ光を、反射面Ｒｄで反射させることで指針部４３の後端側へと導く。
【００４０】
突起部４１ｅは、被覆部４１の所定位置から裏側に向かって突起するピン状の部位である。突起部４１ｅは、図４（ａ）、（ｂ）に示すように、２つ設けられ、平面視において、線ＥＸを挟んで互いに対向して配置されている。この突起部４１ｅに対応して受光板２０の孔２４も、２つ設けられている。突起部４１ｅが受光板２０の孔２４に固定されることにより、指針本体４０が受光板２０に固定される。例えば、突起部４１ｅは、受光板２０の孔２４に溶着される。
【００４１】
露出部４２は、図４（ａ）、（ｂ）に示すように、第１反射部４１ａと第２反射部４１ｂとの間に位置する。露出部４２は、線ＥＸに沿って形成され、この実施形態では、図１に示すように、蓋部３０の天面部３１から表側に突出するとともに、指針部４３と一連に形成されている。なお、露出部４２は、開口部３１ａから露出していればその露出態様は任意であり、天面部３１よりも裏側に位置していてもよい。
【００４２】
指針部４３は、被覆部４１から軸線ＡＸを中心とした外周方向であって、図２に示すように線ＥＸに沿って突出する。指針部４３は、その先端で、前記計器板の指標部を指示する。
【００４３】
ここで、受光板２０における第１透過部２１、第２透過部２２、及び遮光部２３の配置について説明する。
【００４４】
第１透過部２１は、軸線ＡＸが延びる方向において、第１〜第４反射部４１ａ〜４１ｄの各々と対向する４つの部位（図３に示す第１〜第４部位２１ａ〜２１ｄ）から構成されている。第１部位２１ａは第１反射部４１ａと対向し、第２部位２１ｂは第２反射部４１ｂと対向する。第３部位２１ｃは第３反射部４１ｃと対向し、第４部位２１ｄは第４反射部４１ｄと対向する。
【００４５】
第２透過部２２は、軸線ＡＸが延びる方向において、露出部４２と対向する。つまり、第２透過部２２は、軸線ＡＸが延びる方向において、蓋部３０の開口部３１ａと対向する。図３に示す平面視では、第２透過部２２は、第１透過部２１の第１部位２１ａと第２部位２１ｂとの間であって、第３部位２１ｃと第４部位２１ｄとの間に位置している。
【００４６】
遮光部２３は、４つの部位（図３に示す第１〜第４部位２３１〜２３４）から構成されている。
【００４７】
遮光部２３の第１部位２３１は、２つの孔２４の一方を取り囲むとともに、受光板２０の図３における下端へと至って形成されている。第２部位２３２は、２つの孔２４の他方を取り囲むとともに、受光板２０の図３における上端へと至って形成されている。また、第１部位２３１により、第１透過部２１の第１部位２１ａと第３部位２１ｃとが隔てられている。また、第２部位２３２により、第１透過部２１の第２部位２１ｂと第４部位２１ｄとが隔てられている。このように形成された、遮光部２３の第１部位２３１及び第２部位２３２により、光源３から発せられた光のうち、孔２４や、受光板２０の外周端から漏れ出るおそれのある余分な光を抑制することができる。
【００４８】
遮光部２３の第３部位２３３は、第２透過部２２と、受光板２０の図３における右端との間に形成されている。第４部位２３４は、第２透過部２２と、受光板２０の図３における左端との間に形成されている。このように形成された、遮光部２３の第３部位２３３及び第４部位２３４により、光源３から発せられた光のうち、受光板２０の外周端から漏れ出るおそれのある余分な光を抑制することができる。
【００４９】
指針式計器１の構成は以上である。続いて、発光指針１００の発光動作を説明する。
【００５０】
光源３が発した光は、脚部４ｂから導光体４に入射し、円環部４ａの表側の面から発光指針１００に向かって出射される。
【００５１】
発光指針１００は、まず、指針座部１０の透光部１１の裏側で光を受ける。透光部１１に入射した光は、円盤部１１ｂの表側の面から受光板２０に向かって出射される。
【００５２】
受光板２０に到達した光源３からの光のうち、図３に示す第１透過部２１の第１部位２１ａを透過した光は、図４（ａ）に示すように、第１反射部４１ａの反射面Ｒａで反射し、指針部４３の先端側へ向かう。受光板２０に到達した光源３からの光のうち、図３に示す第１透過部２１の第２部位２１ｂを透過した光は、図４（ａ）に示すように、第２反射部４１ｂの反射面Ｒｂで反射し、指針部４３の先端側へ向かう。このように反射面Ｒａ、Ｒｂで反射した光は、指針部４３の先端まで導かれる第１の光Ｌ１となる。
【００５３】
受光板２０に到達した光源３からの光のうち、図３に示す第１透過部２１の第３部位２１ｃを透過した光は、図４（ｂ）に示すように、第３反射部４１ｃの反射面Ｒｃで反射し、指針部４３の後端側へ向かう。受光板２０に到達した光源３からの光のうち、図３に示す第１透過部２１の第４部位２１ｄを透過した光は、図４（ｂ）に示すように、第４反射部４１ｄの反射面Ｒｄで反射し、指針部４３の後端側へ向かう。このように反射面Ｒｃ、Ｒｄで反射した光は、指針部４３の後端まで導かれる第２の光Ｌ２となる。
【００５４】
受光板２０に到達した光源３からの光のうち、図３に示す第２透過部２２を透過した光は、図５に示すように、指針本体４０の露出部４２を透過する第３の光Ｌ３となる。なお、図５は、蓋部３０を外した際の指針式計器１の要部側面図である。
【００５５】
第３の光Ｌ３は、図１及び図２に示す蓋部３０の開口部３１ａを通過して、蓋部３０の表側へと到る。これにより、蓋部３０の開口部３１ａから露出する露出部４２が発光する。
【００５６】
このようにして、発光指針１００の指針本体４０が発光する。ただし、前記の通り、第２透過部２２は、第１透過部２１よりも透過する光の量を減少させるように形成されている。したがって、指針本体４０の露出部４２を発光させる第３の光Ｌ３は、第１及び第２の光Ｌ１、Ｌ２よりも光量が抑えられる。これにより、光源３からの距離がより近い指針本体４０の回転中心部が、他の部分よりも明るく発光し、発光のムラが生じてしまうことを抑制できる。結果として、商品性の高い発光指針１００及び指針式計器１を提供することができる。なお、第２透過部２２によって、どの程度、透過光の量を減少させるかは、例えば、実験により求めればよい。
【００５７】
また、受光板２０に到達した光源３からの光のうち、図３に示す遮光部２３の第１部位２３１及び第２部位２３２に到達した光は、受光板２０を透過しない。このように形成された、遮光部２３の第１部位２３１及び第２部位２３２により、光源３から発せられた光のうち、孔２４や、受光板２０の外周端から漏れ出るおそれのある余分な光を抑制することができる。
【００５８】
また、受光板２０に到達した光源３からの光のうち、図３に示す遮光部２３の第３部位２３３及び第４部位２３４に到達した光は、受光板２０を透過しない。このように形成された、遮光部２３の第３部位２３３及び第４部位２３４により、光源３から発せられた光のうち、受光板２０の外周端から漏れ出るおそれのある余分な光を抑制することができる。
【００５９】
なお、本発明は以上の実施形態及び図面によって限定されるものではない。本発明の要旨を変更しない範囲で、適宜、変更（構成要素の削除も含む）を加えることが可能である。
【００６０】
指針式計器１が搭載される車両は、自動四輪車に限られず任意であり、例えば、自動二輪車であってもよい。また、指針式計器１が搭載される乗り物は、車両に限られず、航空機、船舶、農耕機械などであってもよい。また、指針式計器１は、スピードメータに限られず任意であり、例えば、タコメータ等であってもよい。
【００６１】
また、蓋部３０の開口部３１ａは、スリット状に形成されるものに限られず、指針本体４０の一部を露出させることができれば、その形状は任意である。例えば、開口部３１ａを、円状に形成してもよい。また、露出部４２も、開口部３１ａから露出するものであればその露出態様は任意であり、天面部３１よりも表側に位置していても裏側に位置していてもよい。
【００６２】
また、以上では、被覆部４１が、第１〜４反射部４１ａ〜４１ｄを備える例を示したが、これに限られない。被覆部４１は、少なくとも、光源３からの光を指針部４３の先側へと反射させる反射部を備えていればよく、反射部の数、位置、形状は、設計に応じて変更可能である。また、受光板２０における第１透過部２１の位置や形状も以上の例に限られず、被覆部４１が備える反射部の位置や形状に合わせて、適宜変更可能である。
【００６３】
（１）以上に説明した指針式計器１が含む発光指針１００は、軸線ＡＸを中心に回転可能である。発光指針１００は、表側に向かって開口する開口部３１ａが形成され、遮光性を有する蓋部３０と、導光材からなる指針本体４０と、指針本体４０の裏側に位置し、光源３からの光を受ける受光板２０と、を備える。
指針本体４０は、蓋部３０に表側から覆われる被覆部４１と、開口部３１ａから露出する露出部４２と、被覆部４１から軸線ＡＸを中心とした外周方向に突出する指針部４３とを有する。指針本体４０の被覆部４１は、受光板２０を透過した光を指針部４３の内部へと反射させる反射部（第１〜第４反射部４１ａ〜４１ｄ）を有する。
受光板２０は、軸線ＡＸが延びる方向において反射部と対向し、光を反射部へと透過させる第１透過部２１と、軸線ＡＸが延びる方向において露出部４２と対向し、光を露出部４２へと透過させる第２透過部２２と、を有する。第２透過部２２は、第１透過部２１よりも透過する光の量を減少させる。
このようにしたから、前述したように、発光のムラを低減することができる。
【００６４】
（２）開口部３１ａ、露出部４２、及び第２透過部２２は、軸線ＡＸ上に位置する。
この位置関係により、特に、指針本体４０の回転中心部が、他の部分よりも明るく発光し、発光のムラが生じてしまうことを抑制できる。
【００６５】
（３）指針本体４０の被覆部４１は、裏側に向かって突起する突起部４１ｅを有し、受光板２０は、突起部４１ｅが挿入される孔２４と、遮光部２３とを有し、遮光部２３は、孔２４を取り囲む部分と、受光板２０の外周端部との少なくともいずれかに設けられている。
このようにしたから、前述したように、光源３から発せられた光のうち、孔２４や、受光板２０の外周端から漏れ出るおそれのある余分な光を抑制することができる。
【００６６】
（４）第１透過部２１及び第２透過部４２には、光を拡散させる拡散処理が施されている。
このようにしたから、指針本体４０をより均一に発光させることができる。
【００６７】
（５）具体的に、発光指針１００は、軸線ＡＸを中心に回転する回転軸２ａに装着される指針座部１０を備え、受光板２０は、指針座部１０と指針本体４０との間に位置し、指針座部１０は、光を受光板２０へと透過させる透光部１１を有する。
【００６８】
以上の説明では、本発明の理解を容易にするために、公知の技術的事項の説明を適宜省略した。
【符号の説明】
【００６９】
１…指針式計器
２…モータ、２ａ…回転軸
３…光源、Ｂ…回路基板
４…導光体、４ａ…円環部、４ｂ…脚部
１００…発光指針
ＡＸ…軸線
１０…指針座部
１１…透光部、１１ａ…軸受部、１１ｂ…円盤部
１２…遮光外周部
２０…受光板
２１…第１透過部（２１ａ〜２１ｄ…第１〜第４部位）
２２…第２透過部
２３…遮光部（２３１〜２３４…第１〜第４部位）
２４…孔
３０…蓋部
３１…天面部、３１ａ…開口部
４０…指針本体
４１…被覆部
４１ａ…第１反射部、Ｒａ…反射面
４１ｂ…第２反射部、Ｒｂ…反射面
４１ｃ…第３反射部、Ｒｃ…反射面
４１ｄ…第４反射部、Ｒｄ…反射面
４１ｅ…突起部
４２…露出部
４３…指針部、ＥＸ…線
Ｌ１…第１の光、Ｌ２…第２の光、Ｌ３…第３の光
【図１】
2019124626.tif 000003
【図２】
2019124626.tif 000004
【図３】
2019124626.tif 000005
【図４】
2019124626.tif 000006
【図５】
2019124626.tif 000007